(57)【要約】【課題】  部品点数の増加及び構造の煩雑化を抑制し、外枠の設置作業の容易化、コストの低減化を図る。【解決手段】  本発明は、遊技盤６を収容可能な前枠３を保持する遊技機１の外枠構造であって、上下左右に設けられた枠杆１２，１３，１４，１５により方形枠状に形成されており、前枠３を開閉可能に支持する前枠支持具２１，２２が上下に設けられ、下側の前枠支持具２２より下方部分が上下方向に無段階に伸縮可能であり、且つ左右いずれかの枠杆１２，１３，１４，１５の外側面にスペーサ部材２０が着脱可能なように構成されていることを特徴とする。【選択図】  図２
2005211415.tif 000002
【特許請求の範囲】
【請求項１】
遊技盤を収容可能な前枠を保持する遊技機の外枠構造であって、
上下左右に設けられた枠杆により方形枠状に形成されており、前記前枠を開閉可能に支持する前枠支持具が上下に設けられ、下側の前枠支持具より下方部分が上下方向に無段階に伸縮可能であり、且つ前記左右いずれかの枠杆の外側面にスペーサ部材が着脱可能なように構成されていることを特徴とする遊技機の外枠構造。
【請求項２】
前記下側枠杆が前記左右の枠杆に対して近接離反方向に移動することにより、上下方向に無段階に伸縮可能なように構成されている請求項１に記載の遊技機の外枠構造。
【発明の詳細な説明】
【技術分野】
【０００１】
本発明は、パチンコ遊技機等の遊技機において、遊技盤を収容可能な前枠を保持する遊技機の外枠構造に関し、特に、外形サイズの異なる遊技島の設置枠台に取り付け可能な遊技機の外枠構造に関する。
【背景技術】
【０００２】
従来、パチンコ遊技機に代表される弾球遊技機等の遊技機では、遊技機全体の固定保持枠として木製の外枠が使用され、その外枠には各種の遊技構成部品を装備した前枠が、外枠の正面左側上下に設けられた前枠支持具（一般的にはヒンジ金具）により開閉可能に支持されると共に、外枠の正面右側に設けられた施錠装置により閉鎖状態に保持されるようになっている。そして、遊技店では、遊技島と呼ばれる設置枠台の外枠収容部に所定角度、後傾した状態で外枠が固定され、その外枠の前面側に前記前枠が組み付けられ、遊技に供されるようになっている。
【０００３】
前記遊技島の設置枠台には、東日本地域で多く採用されている、所謂「関東枠」と、西日本地域で多く採用されている、所謂「関西枠」の２種類があり、その外枠収容部のサイズは、上下方向及び左右方向共に関東枠より関西枠の方が１０ｍｍずつ大きくなっている。そのため、遊技島の設置枠台の外枠収容部に外枠を設置する場合、その設置枠台の種類に応じて、外枠を構成する上下左右の各枠杆のうち、上側又は下側の枠杆、及び左側又は右側の枠杆にそれぞれスペーサ部材を着脱させたり、或いは、外枠の上下左右の各枠杆をそれぞれ左右方向又は上下方向にそれぞれ伸縮させたりすることにより、外枠の外形サイズを変えるようにしていた（例えば、特許文献１及び２参照）。
【０００４】
【特許文献１】特開２００２−２２４３７０号公報
【特許文献２】実開平７−３７２７３号公報
【発明の開示】
【発明が解決しようとする課題】
【０００５】
しかしながら、前者の従来の遊技機の外枠構造では、外枠とは別個にスペーサ部材を２個必要とするため、スペーサ部材を取り外した場合に、そのスペーサ部材を保管するための広いスペースが必要になり、スペーサ部材の保管及びその管理に非常に手間が掛かるといった問題があった。また、外枠の枠杆に対して上下方向及び左右方向にスペーサ部材を着脱する作業は非常に手間が掛かり、外枠の設置作業が煩雑化するといった問題があった。
【０００６】
また、後者の従来の遊技機の外枠構造では、外枠の上下左右すべての枠杆をそれぞれ左右方向又は上下方向に伸縮可能なように構成させる必要があるため、構造が複雑となり、製造コストが増大すると共に強度的にも問題が生じるおそれがあった。さらに、左右の枠杆はそれぞれ上下の前枠支持具間で上下方向に伸縮し、その間の距離が変わるようになっているため、左右の枠杆の伸縮に合わせて、２種類の前枠を用意したり、或いは、１種類の前枠で対応する場合には、左右の枠杆の伸長時に前枠の上側又は下側に生じる隙間を埋める部材を用意したりする必要があり、いずれの場合にも部品点数及び製造工数が増加するといった問題があった。
【０００７】
本発明は、上記した課題を解決すべくなされたものであり、スペーサ部材の保管及びその管理を容易にし、部品点数の増加及び構造の煩雑化を抑制し、外枠の設置作業の容易化、コストの低減化を図ることが可能な、遊技機の外枠構造を提供しようとするものである。
【課題を解決するための手段】
【０００８】
本発明は、遊技盤６を収容可能な前枠３を保持する遊技機１の外枠構造であって、上下左右に設けられた枠杆１２，１３，１４，１５により方形枠状に形成されており、前枠３を開閉可能に支持する前枠支持具２１，２２が上下に設けられ、下側の前枠支持具２２より下方部分が上下方向に無段階に伸縮可能であり、且つ左右いずれかの枠杆１２，１３，１４，１５の外側面にスペーサ部材２０が着脱可能なように構成されていることを特徴とする。
【０００９】
そして、下側枠杆１３が左右の枠杆１４，１５に対して近接離反方向に移動することにより、上下方向に無段階に伸縮可能なように構成されているのが好ましい。
【発明の効果】
【００１０】
本発明によれば、外枠は上下方向にのみ伸縮し、且つ、左右いずれかの枠杆にのみスペーサ部材を着脱させるようになっているため、部品点数の増加及び構造の煩雑化を抑制することができ、遊技島への外枠の設置作業が容易となり、コストの低減化を図ることができる。
【００１１】
また、外枠は、関東枠と関西枠のいずれの遊技島に設置する場合にも、一旦、枠台に仮止めされるようになっているため、遊技島の枠台に対する外枠の設置作業が容易となり、遊技機の遊技島への設置作業を簡略化することができる。
【００１２】
さらに、下側の前枠支持具より下方部分が上下方向に伸縮可能なように構成した場合には、外枠の外形サイズを変えても上下の前枠支持具間の距離が変わらず、外枠の外形サイズに応じて前枠の外形サイズを変える必要がなくなるため、１種類の前枠を用意するだけでよくなり、部品点数及びコストの削減を図ることができる。
【発明を実施するための最良の形態】
【００１３】
以下、図面を参照しつつ、本発明の実施の形態について説明する。なお、以下の説明では、本発明をパチンコ遊技機に使用した場合について説明する。
【００１４】
先ず、図１を参照しつつ、パチンコ遊技機の概略構成について説明する。ここで、図１はパチンコ遊技機を示す正面図である。
【００１５】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。前枠３には、遊技盤６が収容され、遊技盤６の前面側には、いずれも図示しないが、図柄表示装置、中央飾り、各種入賞口等の各種遊技部品がそれぞれ配設され、遊技盤６上部の正面左側には球抜き操作孔７が穿設されている。
【００１６】
前枠３の正面側には、ガラス扉８及び球皿９が正面左側に設けられたヒンジ金具１０ａ，１０ｂ，１０ｃにより開閉可能且つ着脱可能に取り付けられ、施錠装置５及び球皿施錠装置（図示せず）により閉鎖状態に保持されるようになっている。また、球皿９の下方には正面右側に発射ハンドル１１が設けられ、発射ハンドル１１を時計回り方向に回動させることにより球皿９から供給された遊技球が発射されるようになっている。
【００１７】
次に、図２を参照しつつ、本発明の第１の実施の形態に係る遊技機の外枠構造について説明する。ここで、図２はその外枠構造を示す正面図を示している。
【００１８】
外枠２は、上下左右（以降、左右方向は正面側から見た方向を言うものとする。）に方形枠状にそれぞれ連結されたいずれも木製の上側枠杆１２、下側枠杆１３、左側枠杆１４、右側枠杆１５と、左側枠杆１４と右側枠杆１５の各前面側の下端部同士を連結する幕板１６と、上端部１７が幕板１６より上方に突出するように幕板１６の背面側に固定された補強板１８とを主体に構成されており、補強板１８の上端部１７の左端部１９は幕板１６の上面に合わせて切欠されている。
【００１９】
外枠２は、上下方向に伸縮可能、且つ、左右いずれかの枠杆１４又は１５（図２では右側枠杆１５）の外側面にスペーサ部材２０が着脱可能なように構成されており、縮小状態では、所謂「関東枠」と呼ばれる設置枠台の外枠収容部のサイズに対応した外形サイズとなるように形成されている。そして、外枠２を、所謂「関西枠」と呼ばれる設置枠台に設置する場合には、その外枠収容部に合わせて、右側枠杆１５の外側面にスペーサ部材２０を装着させ、左右方向のサイズを大きくすると共に、下側枠杆１３を下方に移動させ、上下方向のサイズを大きくすることができるようになっている。
【００２０】
上側枠杆１２の左端部上面には、ヒンジ金具４ａを構成するヒンジ部２１が前方突出するように固定され、左側枠杆１４の下部内側面には、ヒンジ金具４ｂを構成するヒンジ部２２が補強板１８の左端部１９及び幕板１６の各上面に沿って前方に突出するように固定されている。また、上側枠杆１２と右側枠杆１５との連結部にはＬ字状の補強金具２３が固定され、さらに、図示されていないが、上側枠杆１２及び下側枠杆１３には、それぞれ外枠２を遊技島に取り付けるための孔が穿設されている。
【００２１】
また、左側枠杆１４の上部内側面には、切欠部２４が形成され、切欠部２４には球抜き操作孔７に対応する位置に設けられた球抜き機構の操作レバー（図示せず）の側部が遊嵌可能となっている。さらに、図示されていないが、左側枠杆１４には、カードリーダ固定用の孔が穿設されている。
【００２２】
一方、右側枠杆１５の内側面には、施錠装置５を構成する係合片２５が上下２箇所に形成されており、右側枠杆１５の外側面には、上記したように、縦長板状のスペーサ部材２０が着脱可能となっている。スペーサ部材２０は、右側枠杆１５にボルト・ナット等の締結具により固定されるようになっていてもよいが、好ましくは、右側枠杆１５側及びスペーサ部材２０側にそれぞれ係合部（図示せず）を設け、右側枠杆１５の外側面に沿ってスペーサ部材２０をスライドさせると、スペーサ部材２０が右側枠杆１５に着脱可能なように構成されているのがよい。なお、スペーサ部材２０は左側枠杆１４の外側面に対して着脱可能なように設けられていてもよい。
【００２３】
次に、主に図３〜図６を参照しつつ、本発明の第１の実施の形態における外枠２を上下方向に段階的に伸縮させる構造について説明する。ここで、図３は本発明の第１の実施の形態における外枠２を関東枠の外枠収容部に合うように縮小させた状態を部分的に示す背面側断面図、図４はその外枠２が縮小した状態を部分的に示す図２のＡ−Ａ矢視図、図５はその外枠２を関西枠に合うように伸長させた状態を部分的に示す背面側断面図、図６はその外枠２が伸長した状態を部分的に示す図２のＡ−Ａ矢視図である。
【００２４】
図３及び図５に最も良く示されているように、下側枠杆１３と右側枠杆１５との連結部分には、内側と外側で一対を成す連結金具２６，２７が設けられている。これらの各連結金具２６，２７は、いずれも金属板を直角に屈曲させることにより形成され、それぞれ鉛直部２８，２９と水平部３０，３１とから構成されている。そして、内側の連結金具２６は、下側枠杆１３の上面及び右側枠杆１５の内側面に沿って設けられ、外側の連結金具２７は、下側枠杆１３の下面及び右側枠杆１５の外側面に沿って設けられている。外側の連結金具２７が設置される下側枠杆１３の下面の右端部及び右側枠杆１５の外側面の下端部には、外側の連結金具２７の厚みに合わせて、それぞれ欠込み部３２、３３が形成されており、外側の連結金具２７の外面が下側枠杆１３の外側面及び右側枠杆１５の下面と同一面を形成するようになっている。
【００２５】
内側及び外側の連結金具２６，２７の各鉛直部２８，２９には、互いに対向する位置にそれぞれ上下２段２列で４個ずつ円形状の締付具取付孔３４ａ，３４ｂ、３５ａ，３５ｂが穿設されている。そして、右側枠杆１５には、外枠２の縮小状態におけるその締付具取付孔３４ａ，３４ｂ、３５ａ，３５ｂに対応した位置及びその下方に同一間隔で、締付具挿通孔３６ａ，３６ｂ，３６ｃが上下３段２列で６箇所穿設されており、各締付具取付孔３４ａ，３４ｂ、３５ａ，３５ｂの内径は各締付具挿通孔３６ａ，３６ｂ，３６ｃの内径より大きくなっている。また、連結金具２６，２７の各水平部３０，３１は、図示されていない締付具により下側枠杆１３に固定されている。
【００２６】
一方、いずれも図示されていないが、下側枠杆１３と左側枠杆１４との連結部分にも、上記した下側枠杆１３と右側枠杆１５との連結部分の場合と同様に、内側と外側で一対を成す連結金具が設けられている。そして、該各連結金具は、それぞれ鉛直部と水平部とから構成され、前記各鉛直部には、それぞれ上下２段２列で４個ずつ締付具取付孔が穿設され、前記各水平部は、締付具により下側枠杆１３に固定されている。そして、前記外側の連結金具が設置される下側枠杆１３の下面の左端部及び左側枠杆１４の外側面の下端部には、それぞれ欠込み部が形成されており、さらに、左側枠杆１４には締付具挿通孔が上下３段２列で６箇所穿設されている。
【００２７】
このように、上記した構成によれば、外枠２は、左右方向にはスペーサ部材２０により、また、上下方向には上記した伸縮構造により、それぞれ段階的に伸縮可能となっている。なお、上記実施の形態では、外枠２は、左右方向にはスペーサ部材２０により、また、上下方向には隣接する締付具挿通孔３６ａと３６ｂ又は３６ｂと３６ｃの間隔により、それぞれ１段階だけ伸縮可能なように構成されているが、スペーサ部材２０の厚みを薄くし、複数のスペーサ部材２０を着脱可能に設け、左右方向に複数段階に伸縮可能なように構成させたり、或いは、締付具取付孔３４，３５と締付具挿通孔３６の設置間隔を狭めて、その設置数を増やし、上下方向に複数段階に伸縮可能なように構成させたりしてもよい。また、上記した連結金具２６，２７の形状及び構造は、単なる例示であり、それらに限定されるものではなく、例えば、扁平な箱状に形成させたりしてもよい。
【００２８】
次に、主に図２〜図６を参照しつつ、本発明の第１の実施の形態に係る遊技機の外枠構造の作用について説明する。
【００２９】
外枠２を、関東枠の遊技島に設置する場合、図３及び図４に示すように、左右の枠杆１４，１５の下端面を下側枠杆１３の右端部上面に当接させ、内側及び外側の連結金具２６，２７の各締付具取付孔３４ａ，３４ｂ、３５ａ，３５ｂと右側枠杆１５の上から１番目及び２番目の締付具挿通孔３６ａ，３６ｂにそれぞれ締付具３７を挿通し、締め付ける。この時、幕板１６はその下端が下側枠杆１３の下面と同一高さ又はその僅か上方に位置し、下側枠杆１３の前面側の大部分が幕板１６に覆われた状態となる。なお、この場合、スペーサ部材２０は左右いずれの枠杆１４，１５にも装着されていない。これにより、外枠２は縮小した状態となり、関東枠の遊技島の外枠収容部に対応した外形サイズとなるので、外枠２を遊技島の枠台に釘打ちすることにより、パチンコ遊技機１を関東枠に設置することができる。
【００３０】
一方、外枠２を、関西枠の遊技島に設置する場合には、右側枠杆１５の外側面に沿ってスペーサ部材２０をスライドさせ、前記係合部を介してスペーサ部材２０を右側枠杆１５に装着させる。そして、図５及び図６に示すように、下側枠杆１３を連結金具２６，２７と共に下方に引っ張り、左右の枠杆１４，１５の下端面から離間させ、内側及び外側の連結金具２６，２７の各締付具取付孔３４ａ，３４ｂ、３５ａ，３５ｂと左右の枠杆１４，１５の上から２番目及び３番目の締付具挿通孔３６ｂ，３６ｃにそれぞれ締付具３７を挿通し、締め付ける。この時、幕板１６はその下端が下側枠杆１３の上面と同一高さ又はその僅か下方に位置し、下側枠杆１３の前面側全面又はその大部分が幕板１６に覆われていない状態となる。これにより、外枠２は伸長した状態となり、関西枠の遊技島の外枠収容部に対応した外形サイズとなるので、外枠２を遊技島の枠台に釘打ちすることにより、関西枠の遊技島に設置することができる。
【００３１】
なお、外枠２を上下方向に伸縮させる構造は、図７及び図８に示すように、補強板１８にガイド部材３８を取り付け、幕板１６がそのガイド部材３８に沿って上下方向に摺動するような構造としてもよい。この場合、幕板１６は下側枠杆１３に固定されており、幕板１６の上下動に伴い、下側枠杆１３が左右の枠杆１４，１５に対して近接離反方向に移動する。そして、下側枠杆１３を左右の枠杆１４，１５から離間させ、上記したように、対応する各締付具取付孔３４ａ，３４ｂ、３５ａ，３５ｂと締付具挿通孔３６ｂ，３６ｃにそれぞれ締付具３７を挿通し、締め付けることにより、外枠２が上下方向に段階的に伸縮可能となる。この時、幕板１６はガイド部材３８により前後方向の移動を規制され、さらに、下側枠杆１３は内側及び外側の連結金具２６，２７により左右方向の移動を規制されるため、下側枠杆１３は幕板１６と共に左右の枠杆１４，１５に対して近接離反方向に確実且つ容易に移動可能となる。
【００３２】
また、図７に示すように、スペーサ部材２０を２分割可能なように形成させ、スペーサ部材２０を使用しない場合、すなわち、パチンコ遊技機１を関東枠に設置する場合には、２分割したスペーサ部材２０をそれぞれ、下側枠杆１３の上に載置し、止め具（図示せず）で固定する等、外枠２の背面側下部に収納可能なように構成してもよい。この場合、倉庫等、スペーサ部材２０を保管するためのスペースが不要となり、そのスペーサ部材２０の保管及びその管理を容易に行うことができる。なお、前記止め具は、右側枠杆１５に着脱可能なようにスペーサ部材２０に設けられている前記係合部と係合可能な係合部を、下側枠杆１３側及び２分割されたスペーサ部材のいずれか一方側に設け、それらの各係合部同士が互いに係合するように構成させ、２分割されたスペーサ部材２０同士が一体となって重合され、さらに、その重合状態のスペーサ部材２０が下側枠杆１３上に固定されるようにすることもできる。この場合、スペーサ部材２０の係合部は、右側枠杆１５と下側枠杆１３のいずれにも着脱可能であり、兼用できるため、別個に止め具を設ける必要がなくなり、部品点数の増加を抑制することができる。
【００３３】
さらに、本発明は、下側枠杆１３が左右の枠杆１４，１５に対して近接離反方向に移動可能な構造に限定されるものではなく、左右の枠杆１４，１５をそれぞれ上下２部材で構成させ、その２部材を互いに近接離反方向に移動させることにより外枠２を上下方向に伸縮させる等、各種変更が可能である。
【００３４】
次に、図９及び図１０を参照しつつ、本発明の第２の実施の形態に係る遊技機の外枠構造について説明する。なお、上記した第１の実施の形態に係る遊技機の外枠構造と同様の構成については、説明の簡略化のため、図９及び図１０中、図１〜図８と同一の符号を付し、その構成及び作用に関する詳細な説明は省略する。ここで、図９は本実施の形態に係る外枠２が伸縮した状態を示す側断面図、図１０は外枠２が伸長した状態を示す側断面図である。
【００３５】
本実施の形態に係る外枠２では、左右の枠杆１４（図９及び図１０では左側枠杆のみ図示。以下同じ。）と補強板１８とが固定されていると共に下側枠杆１３と幕板１６とが固定され、下側枠杆１３及び幕板１６は、補強板１８に固定されたガイド部材４１を介して、左右の枠杆１４及び補強板１８に対して近接離反方向に上下動可能なように構成されている。
【００３６】
ガイド部材４１は、補強板１８の前面及び下面に沿って固定されるＬ字状断面の補強板固定部４２と、補強板固定部４２の上端部より前方に形成され、幕板１６の前面に沿って下方に折曲された幕板摺動部４３と、補強板固定部４２から後方に向かって水平に延出するネジ取付部４４とから構成されており、ネジ取付部４４には複数の調整ネジ４５が螺合可能となっている。図９及び図１０では、調整ネジ４５としてボルトが図示されているが、蝶ネジ等、他のタイプのネジであってもよく、調整ネジ４５の下端は下側枠杆１３の上面に当接している。また、調整ネジ４５には、関東枠及び関西枠に対応させて、目印をつけておくこともでき、その場合には、外枠２の設置作業をより迅速且つ効率的に行うことができる。
【００３７】
また、上記した第１の実施の形態の場合と同様に、下側枠杆１３と左右の枠杆１４との連結部分には、内側と外側で一対を成す連結金具２６（図９及び図１０では内側の連結金具のみ図示。以下同じ。）が設けられている。そして、各連結金具２６の鉛直部２８には、締付具取付孔３４ａ，３４ｂが穿設され、右側枠杆１５には、内側及び外側の連結金具２６の締付具取付孔３４ａ，３４ｂに対応した位置に、締付具挿通長孔５４が穿設されており、各締付具取付孔３４ａ，３４ｂの内径は締付具挿通長孔５４の横幅より大きくなっている。これにより、締結具取付孔３４ａ，３４ｂ及び締付具挿通長孔５４に締付具３７を挿入し、締め付け、各連結金具２６により左右の枠杆１４を挟持することにより、下側枠杆１３と左右の枠杆１４とが連結されるようになっている。また、各連結金具２６の水平部３０は、図示されていない締付具により下側枠杆１３に固定されている。
【００３８】
次に、本発明の第２の実施の形態に係る遊技機の外枠構造の作用について説明する。
【００３９】
外枠２を、関東枠の遊技島に設置する場合、図９に示すように、調整ネジ４５を、例えば反時計回りに回転させ、左右の枠杆１４の下端面を下側枠杆１３の上面に当接させた後、若しくは関東枠用の目印まで調整ネジ４５を反時計回りに回転させた後、調整ネジ４５を反対方向（この場合には、時計回り）に回転させる。そうすると、遊技島の枠台は上下の枠扞１３（図９及び図１０では下側枠扞のみ図示）により押圧されるので、そこで、締結具取付孔３４ａ，３４ｂ及び締付具挿通長孔５４に締付具３７を挿入し、締め付けると、下側枠杆１３と左右の枠杆１４とが連結され、パチンコ遊技機１は外枠２を介して枠台に仮止めされた状態となる。なお、この場合、スペーサ部材２０は左右いずれの枠杆１４にも装着されていない。これにより、外枠２は縮小した状態となり、関東枠の遊技島の外枠収容部に対応した外形サイズとなるので、外枠２を遊技島の枠台に釘打ちすることにより、関東枠の遊技島に設置することができる。
【００４０】
一方、外枠２を、関西枠の遊技島に設置する場合には、先ず、上記した第１の実施の形態の場合と同様の要領で右側枠杆の外側面にスペーサ部材（図９及び図１０では図示せず）を装着させ、外枠２を遊技島の枠台に仮置きし、調整ネジ４５を、関西枠用の目印まで時計回りに回転させる。そうすると、図１０に示すように、幕板１６は幕板摺動部４３に沿って下方に摺動し、幕板１６と幕板摺動部４３の上面５０との間に空間５２が形成され、下側枠杆１３は左右の枠杆１４の下端面４０から離間し、外枠２は伸長した状態となる。そうすると、遊技島の枠台は上下の枠扞１３（図９及び図１０では下側枠扞のみ図示）により押圧されるので、そこで、締結具取付孔３４ａ，３４ｂ及び締付具挿通長孔５４に締付具３７を挿入し、締め付けると、下側枠杆１３と左右の枠杆１４とが連結され、パチンコ遊技機１は外枠２を介して枠台に仮止めされた状態となる。そして、この状態において、外枠２を遊技島の枠台に釘打ちすることにより、関西枠の遊技島に固定することができる。
【００４１】
このように、本実施の形態によれば、外枠２は、関東枠と関西枠のいずれの遊技島に設置する場合にも、一旦、枠台に仮止めされるようになっているため、遊技島の枠台に対する外枠２の釘打ち作業が容易となり、パチンコ遊技機１の遊技島への設置作業は簡略化される。さらに、上記した第２の実施の形態によれば、外枠２を上下方向に無段階に伸縮させることができるため、遊技島の枠台や外枠２等に製造誤差が生じたとしても、その誤差を吸収することができ、効率良く、パチンコ遊技機１の設置作業を行うことができる。
【００４２】
なお、外枠２を上下方向に無段階に伸縮させる構造は、上記したように下側枠杆１３が幕板１６と一体となって左右の枠杆１４，１５に対して近接離反方向に移動することによるものに限定する趣旨ではなく、例えば、図１１及び図１２に示すように、下側枠杆１３と、左右の枠杆１４（図１１及び図１２では左側枠杆のみ図示）、幕板１６及び補強板１８との間にガイド部材５３を介装させ、調整ネジ４５を回転させることにより、下側枠杆１３が左右の枠杆１４、幕板１６及び補強板１８に対して近接離反方向に移動し、外枠２が上下方向に無段階に伸縮するように構成してもよい。
【００４３】
このように、上記した第１及び第２の実施の形態によれば、外枠２が上下方向にのみ伸縮し、且つ、左右いずれかの枠杆１４，１５にのみスペーサ部材２０を着脱するようになっているため、部品点数の増加及び構造の煩雑化を抑制することができ、遊技島への外枠の設置作業が容易となり、コストの低減化を図ることができる。また、外枠２の下側ヒンジ部２２より下方部分が上下方向に伸縮するようになっているため、外枠２の外形サイズを変えても上下のヒンジ部２１，２２間の距離が変わらない。したがって、外枠２の外形サイズに応じて前枠３の外形サイズを変える必要がなくなるため、１種類の前枠３を用意するだけでよくなり、部品点数及びコストの削減を図ることができる。
【００４４】
なお、上記第１及び第２の実施の形態では、本発明をパチンコ遊技機に適用した場合について説明したが、これは単なる例示に過ぎず、本発明は、アレンジボール等の他の弾球遊技機やスロットマシン等の回動遊技機にも適用可能である。
【図面の簡単な説明】
【００４５】
【図１】本発明の実施の形態におけるパチンコ遊技機を示す正面図である。
【図２】本発明の第１の実施の形態に係る遊技機の外枠構造を示す正面図である。
【図３】本発明の第１の実施の形態における外枠の縮小状態を部分的に示す断面図である。
【図４】本実施の第１の実施の形態における外枠が縮小した状態を示す図２のＡ−Ａ矢視図である。
【図５】本発明の第１の実施の形態における外枠が伸長した状態を部分的に示す断面図である。
【図６】本実施の第１の実施の形態における外枠が伸長した状態を示す図２のＡ−Ａ矢視図である。
【図７】本発明の第１の実施の形態に係る遊技機の外枠構造の別の例を示す側断面図である。
【図８】本発明の第１の実施の形態に係る遊技機の外枠構造の別の例を示す側断面図である。
【図９】本発明の第２の実施の形態に係る遊技機の外枠構造において外枠が伸縮した状態を示す側断面図である。
【図１０】本発明の第２の実施の形態に係る遊技機の外枠構造において外枠が伸長した状態を示す側断面図である。
【図１１】本発明の第２の実施の形態に係る遊技機の外枠構造の別の例を示す側断面図である。
【図１２】本発明の第２の実施の形態に係る遊技機の外枠構造の別の例を示す側断面図である。
【符号の説明】
【００４６】
１          パチンコ遊技機
２          外枠
３          前枠
６          遊技盤
１２        上側枠杆
１３        下側枠杆
１４        左側枠杆
１５        右側枠杆
２０        スペーサ部材
２１        ヒンジ部
２２        ヒンジ部
【図１】
2005211415.tif 000003
【図２】
2005211415.tif 000004
【図３】
2005211415.tif 000005
【図４】
2005211415.tif 000006
【図５】
2005211415.tif 000007
【図６】
2005211415.tif 000008
【図７】
2005211415.tif 000009
【図８】
2005211415.tif 000010
【図９】
2005211415.tif 000011
【図１０】
2005211415.tif 000012
【図１１】
2005211415.tif 000013
【図１２】
2005211415.tif 000014